(57)【要約】【課題】従来の組立容器では、組立前の容器胴部の大きさが、底板や蓋体との関係で面積的にも厚さ的にも大型になり、携帯や搬送に不便であり、また、組み立てた後で多数の組立容器を安定して多段に積み重ねることができない場合も多々あった。【解決手段】底板１１及び蓋体１２から独立したほぼ同一形状の３枚以上の側板１を個々に分解可能に順次連結して容器胴部１０を成形し、組立前において、面積的にも厚さ的にも嵩張らないから、葉書ケース、写真ケース、菓子ケース等に使用することができ、簡単に分解して携帯や搬送するのに便利な組立容器を提供することができる。【選択図】　　　　　　図５
2004067234.tif 000002
【特許請求の範囲】
【請求項１】
底板及び蓋体から独立したほぼ同一形状の３枚以上の側板を個々に分解可能に順次連結して容器胴部を成形してなる組立容器。
【請求項２】
請求項１に記載の組立容器において、側板の内側に底板支持段部を突設してなる組立容器。
【請求項３】
請求項１又は２に記載の組立容器において、容器胴部の頂部開口部に嵌合する蓋体を設けると共に、蓋体の上面に他の容器胴部の底部開口部を嵌合することができる重ね用段部を設けてなる組立容器。
【請求項４】
請求項１、２又は３に記載の組立容器において、側板の両端部が容器胴部から外方に突出する位置に連結部を設けてなる組立容器。
【請求項５】
請求項１、２又は３に記載の組立容器において、側板の両端部が容器胴部から外方に突出しない位置に連結部を設けてなる組立容器。
【請求項６】
請求項１乃至５のいずれかに記載の組立容器において、容器胴部の底部開口部に、他の容器胴部の頂部開口部に嵌合することができる拡張枠部を設けてなる組立容器。
【発明の詳細な説明】
【０００１】
【発明の属する技術分野】
本発明は分割可能な容器胴部を有する組立容器に関する。
【０００２】
【従来の技術】
従来、一枚の板体等に切れ目や折り畳み線を施して組立可能にした組立容器や、底板や蓋体に容器胴部を連結して組立可能にした組立容器等は知られている。
【０００３】
【発明が解決しようとする課題】
従来の組立容器では、組立前の容器胴部の大きさが、底板や蓋体との関係で面積的にも厚さ的にも大型になり、携帯や搬送に不便であり、また、組み立てた後で多数の組立容器を安定して多段に積み重ねることができない場合も多々あった。
【０００４】
【課題を解決するための手段】
そこで本発明は、底板及び蓋体から独立したほぼ同一形状の３枚以上の側板を個々に分解可能に順次連結して容器胴部を成形してなる組立容器を提供するものである。
本発明によれば、容器胴部を成形する側板が底板及び蓋体から独立したほぼ同一形状をなすから、組立前において、面積的にも厚さ的にも嵩張らないから、葉書ケース、写真ケース、菓子ケース等に使用することができ、簡単に分解して携帯や搬送するのに便利な組立容器を提供することができる。
【０００５】
また、本発明は、請求項２に記載のように、請求項１に記載の組立容器において、側板の内側に底板支持段部を突設してなる組立容器を提供するものである。本発明によれば、組み立てた容器胴部の頂部開口から底板を挿入するだけで、側板の内側に設けた底板支持段部により底板を支持して容易且つ迅速に底板付の容器胴部を組み立てることができる。
【０００６】
また、本発明は、請求項３に記載のように、請求項１又は２に記載の組立容器において、容器胴部の頂部開口部に嵌合する蓋体を設けると共に、蓋体の上面に他の容器胴部の底部開口部を嵌合することができる重ね用段部を設けてなる組立容器を提供するものである。
本発明によれば、容器胴部の頂部開口部に嵌合する蓋体の上面に設けた重ねよう段部によって、他の容器胴部の底部開口部を容易に嵌合することができ、組み立てた後で多数の組立容器を安定して多段に積み重ねることができる。
【０００７】
また、本発明は、請求項４に記載のように、請求項１、２又は３に記載の組立容器において、側板の両端部が容器胴部から外方に突出する位置に連結部を設けてなる組立容器を提供するものである。
本発明によれば、容器胴部から外方に突出する側板両端部によって、容器の起立安定状態が得られると共に、井桁の突出した校倉造りのように外観を優雅にすることができる。
【０００８】
また、本発明は、請求項５に記載のように、請求項１、２又は３に記載の組立容器において、側板の両端部が容器胴部から外方に突出しない位置に連結部を設けてなる組立容器を提供するものである。
本発明によれば、容器胴部から突出部のない側板の寸法に対して容積の大きい容器を提供することができる。
【０００９】
また、本発明は、請求項６に記載のように、請求項１乃至５のいずれかに記載の組立容器において、容器胴部の底部開口部に、他の容器胴部の頂部開口部に嵌合することができる拡張枠部を設けてなる組立容器を提供するものである。
本発明によれば、容器胴部の頂部開口部に他の容器の底部開口部に設けた拡張枠部を嵌合することによって、重ね段部を有する蓋部等を用いることなく容器を重ねることができる。
【００１０】
【発明の実施の形態】
以下図示する実施例により、本発明の実施の形態を説明する。
図１乃至７に記載の実施例において、１は横長の長方形薄板状の側板で、木、紙、金属、プラスチック等からなり、その両端部の一方の上部に上部連結切欠２、他方の下部に下部連結切欠３がそれぞれ垂直にほぼ高さの中心まで設けてある。側板１の内側の連結切欠２，３間には、図３に記載のように、下部連結切欠３の側面から水平に底板支持段部４が突設してある。
【００１１】
実施例の場合、４枚の側板１は、底板支持段部４が同じ高さに位置するように、上部連結切欠２に下部連結欠切３を一致するようにそれぞれ完全に嵌合することによって、図５に記載のように、側板１の両端部５が外方に突出した容器胴部１０が組み立てられる。
容器胴部１０には、頂部開口部から内側に底板１１を嵌合すると、底板支持段部４に当接する位置で支持されることとなる。６は底板支持段部４の上方に突設した押さえ突起で、底板支持段部４で支持された底板１１ががたついたり、容易に外れたりするのを阻止するように構成してある。
【００１２】
また、図８，図９に記載のように、容器胴部１０の頂部開口部には蓋体１２のスカート部１３が嵌合するように設けてあると共に、蓋体１２の上面には他の容器胴部１０の底部開口部を嵌合することができる重ね用段部１４が設けてある。また、図７に記載のように、側板１の底板支持段部４の下方部分に切欠部７を設け、素材の節約又は外観を図ることも可能である。
【００１３】
また、図１０に記載のように、容器胴部１０の底部開口部に、他の容器胴部１０の頂部開口部に嵌合することができる拡張枠部１５を設けて、容器胴部１０の頂部開口部に他の容器の底部開口部に設けた拡張枠部１５を嵌合することによって、蓋体等を用いることなく容器を安定して重ねることができる。
なお、図９又は図１０に記載のように、底板１１の適宜な位置に適宜な大きさと形状に凹部１６又は段部を設けて、例えば、葉書のような薄い板状の物を収納したとき、凹部１６又は段部を利用して把持しやすくすることが可能である。
【００１４】
次に、図１１乃至図１４に記載の他の実施例の場合、２１は横長の長方形薄板状の側板で、一端部が９０＆ｄｅｇ；に湾曲している。その湾曲端部２５に雌型連結凹部２２、他端部の直線端部２６に前記雌型連結凹部２２に嵌合する雄型連結凸部２３がそれぞれ設けてある。雌型連結凹部２２及び雄型連結凸部２３には、図１２に記載のように、連結時に互いに嵌合する抜け止め凹部２７と抜け止め突起２８を設けることも可能である。
側板２１の内側には、図に記載のように、水平に底板支持段部２４が突設してある。
【００１５】
実施例の場合、４枚の側板２１を、底板支持段部２４が同じ高さに位置するように、雌型連結凹部２２に雄型連結凸部２３を嵌合することによって、図１４に記載のように、側板２１の両端部２５，２６が滑らかに連続する容器胴部２０が組み立てられる。
容器胴部２０に、頂部開口部から内側に底板３１を嵌合すると、底板支持段部２４に当接する位置で支持されることとなり、底板支持段部２４の上方に突設した押さえ突起２９で、底板支持段部２４で支持された底板３１ががたついたり、容易に外れたりするのを阻止するように構成してある。
【００１６】
また、先の実施例と同様に、容器胴部２０の頂部開口部には蓋体３２のスカート部が嵌合するように設けてあると共に、蓋体３２の上面には他の容器胴部２０の底部開口部を嵌合することができる重ね用段部３４が設けてある。
また、先の実施例と同様に、側板３１の底板支持段部２４の下方部分に切欠部を設け、素材の節約又は外観を図ることも可能であり、また、図１０に記載のように、容器胴部２０の底部開口部に、他の容器胴部２０の頂部開口部に嵌合することができる拡張枠部を設けて、容器胴部２０の頂部開口部に他の容器の底部開口部に設けた拡張枠部を嵌合することによって、蓋体等を用いることなく容器を安定して重ねることができる。
【００１７】
【発明の効果】
以上の通り、本発明に係る組立容器によれば、底板及び蓋体から独立したほぼ同一形状の３枚以上の側板を個々に分解可能に順次連結して容器胴部を成形してなる構成を有することにより、容器胴部を成形する側板が底板及び蓋体から独立したほぼ同一形状をなすから、組立前又は使用後において、面積的にも厚さ的にも嵩張らないから、分解して携帯や搬送するのに便利な効果がある。
【００１８】
また、本発明は、請求項２に記載のように、請求項１に記載の組立容器において、側板の内側に底板支持段部を突設してなる構成を有することにより、組み立てた容器胴部の頂部開口から底板を挿入するだけで、側板の内側に設けた底板支持段部により底板を支持して容易且つ迅速に底板付の容器胴部を組み立てることができる効果がある。
【００１９】
また、本発明は、請求項３に記載のように、請求項１又は２に記載の組立容器において、容器胴部の頂部開口部に嵌合する蓋体を設けると共に、蓋体の上面に他の容器胴部の底部開口部を嵌合することができる重ね用段部を設けてなる構成を有することにより、容器胴部の頂部開口部に嵌合する蓋体の上面に設けた重ね用段部によって、他の容器胴部の底部開口部を容易に嵌合することができ、組み立てた後で多数の組立容器を安定して多段に積み重ねることができる効果がある。
【００２０】
また、本発明は、請求項４に記載のように、請求項１、２又は３に記載の組立容器において、側板の両端部が容器胴部から外方に突出する位置に連結部を設けてなる構成を有することにより、容器胴部から外方に突出する側板両端部によって、容器の起立安定状態が得られると共に、井桁の突出した校倉造りのように外観を優雅にすることができる効果がある。
【００２１】
また、本発明は、請求項５に記載のように、請求項１、２又は３に記載の組立容器において、側板の両端部が容器胴部から外方に突出しない位置に連結部を設けてなる構成を有することにより、容器胴部から突出部のない側板の寸法に対して容積の大きい容器を提供することができる。
【００２２】
また、本発明は、請求項６に記載のように、請求項１乃至５のいずれかに記載の組立容器において、容器胴部の底部開口部に、他の容器胴部の頂部開口部に嵌合することができる拡張枠部を設けてなる構成を有することにより、重ね段部を有する蓋部等を用いることなく容器を重ねることができる効果がある。
【図面の簡単な説明】
【図１】本発明の一実施例の要部の正面図。
【図２】その底面図。
【図３】その背面図。
【図４】その側面図。
【図５】その実施例の組立状態を説明する斜視図。
【図６】図１の要部の斜視図。
【図７】その要部の他の実施例を示す斜視図。
【図８】他の要部の中央縦断面図。
【図９】その実施例の使用態様を示す中央縦断面図。
【図１０】その他の実施例の使用態様を示す中央縦断面図。
【図１１】本発明の他の実施例の要部の斜視図。
【図１２】その平面図。
【図１３】その正面図。
【図１４】その実施例の組立状態を説明する斜視図。
【符号の説明】
１　　　側板
２　　　上部連結切欠
３　　　下部連結切欠
４　　　底板支持段部
５　　　側板の両端部
６　　　押さえ突起
７　　　切欠部
１０　　容器胴部
１１　　底板
１２　　蓋体
１３　　スカート部
１４　　重ね用段部
１５　　拡張枠部
１６　　凹部
２０　　容器胴部
２１　　側板
２２　　雌型連結凹部
２３　　雄型連結凸部
２４　　底板支持段部
２５，２６　側板の両端部
２７　　抜け止め凹部
２８　　抜け止め突起
２９　　押さえ突起
３１　　底板
３２　　蓋体
３４　　重ね用段部
【図１】
2004067234.tif 000003
【図２】
2004067234.tif 000004
【図３】
2004067234.tif 000005
【図４】
2004067234.tif 000006
【図５】
2004067234.tif 000007
【図６】
2004067234.tif 000008
【図７】
2004067234.tif 000009
【図８】
2004067234.tif 000010
【図９】
2004067234.tif 000011
【図１０】
2004067234.tif 000012
【図１１】
2004067234.tif 000013
【図１２】
2004067234.tif 000014
【図１３】
2004067234.tif 000015
【図１４】
2004067234.tif 000016
【手続補正書】
【提出日】平成15年9月12日(2003.9.12)
【手続補正１】
【補正対象書類名】明細書
【補正対象項目名】請求項１
【補正方法】変更
【補正の内容】
【請求項１】
底板及び蓋体から独立した連結部がほぼ同一形状の３枚以上の側板を個々に分解可能に順
次連結して容器胴部を成形してなる組立容器。
【手続補正２】
【補正対象書類名】明細書
【補正対象項目名】０００４
【補正方法】変更
【補正の内容】
【０００４】
【課題を解決するための手段】
そこで本発明は、底板及び蓋体から独立した連結部がほぼ同一形状の３枚以上の側板を
個々に分解可能に順次連結して容器胴部を成形してなる組立容器を提供するものである。
本発明によれば、容器胴部を成形する側板が底板及び蓋体から独立したほぼ同一形状を
なすから、組立前において、面積的にも厚さ的にも嵩張らないから、葉書ケース、写真ケ
ース、菓子ケース等に使用することができ、簡単に分解して携帯や搬送するのに便利な組
立容器を提供することができる。


【手続補正３】
【補正対象書類名】明細書
【補正対象項目名】００１４
【補正方法】変更
【補正の内容】
【００１４】
次に、図１１乃至図１４に記載の他の実施例の場合、２１は横長の長方形薄板状の側板で、一端部が９０度に湾曲している。その湾曲端部２５に雌型連結凹部２２、他端部の直線端部２６に前記雌型連結凹部２２に嵌合する雄型連結凸部２３がそれぞれ設けてある。雌型連結凹部２２及び雄型連結凸部２３には、図１２に記載のように、連結時に互いに嵌合する抜け止め凹部２７と抜け止め突起２８を設けることも可能である。
側板２１の内側には、図に記載のように、水平に底板支持段部２４が突設してある。


【手続補正４】
【補正対象書類名】明細書
【補正対象項目名】００１７
【補正方法】変更
【補正の内容】
【００１７】
【発明の効果】
以上の通り、本発明に係る組立容器によれば、底板及び蓋体から独立した連結部がほぼ
同一形状の３枚以上の側板を個々に分解可能に順次連結して容器胴部を成形してなる構成
を有することにより、容器胴部を成形する側板が底板及び蓋体から独立したほぼ同一形状
をなすから、組立前又は使用後において、面積的にも厚さ的にも嵩張らないから、分解し
て携帯や搬送するのに便利な効果がある。